(57)【要約】【課題】防火性能に優れ、薄型、軽量で、低コストで製造可能な表示装置を提供する。【解決手段】液晶セル１０４と、液晶セル１０４を背面から支持する金属製のリアフレーム１１４と、リアフレーム１１４に取り付けられ、液晶セル１０４に向けて光を出射するＬＥＤバー１１３と、液晶セル１０４とリアフレーム１１４との間に取り付けられ、ＬＥＤバー１１３から出射する光を液晶セル１０４に向けて反射する反射シート１１０と、反射シート１１０とリアフレーム１１４との間に位置し、リアフレーム１１４に取り付けられる電源回路基板１１２とを備える。【選択図】図２
2014206644.tif 000002
【特許請求の範囲】
【請求項１】
表示セルと、
前記表示セルを背面から支持する金属製の筐体と、
前記筐体に取り付けられ、前記表示セルに向けて光を出射する光源と、
前記表示セルと前記筐体との間に取り付けられ、前記光源から出射する光を前記表示セルに向けて反射する反射部材と、
前記反射部材と前記筐体との間に配置される電源回路基板と
を備える表示装置。
【請求項２】
さらに、
前記反射部材と前記筐体との間に配置される音声信号処理用の回路基板である音声処理基板を備える
請求項１に記載の表示装置。
【請求項３】
さらに、
前記音声処理基板に結線され、前記反射部材と前記筐体との間に配置されるスピーカを備える
請求項２に記載の表示装置。
【請求項４】
さらに、
前記反射部材と前記筐体との間に配置される映像信号処理用の回路基板である映像処理基板を備える
請求項１に記載の表示装置。
【請求項５】
さらに、
前記映像処理基板及び前記表示セルにそれぞれ結線され、前記反射部材と前記筐体との間に配置される、前記映像処理基板から出力される映像信号を前記表示セルに中継する回路基板である中継基板を備える
請求項４に記載の表示装置。
【請求項６】
前記筐体には、スタッドが配置され、
前記電源回路基板は、締結部材により前記スタッドに締結される
請求項１〜５のいずれか１項に記載の表示装置。
【請求項７】
前記電源回路基板は、前記筐体の下部に取り付けられる
請求項１〜６のいずれか１項に記載の表示装置。
【発明の詳細な説明】
【技術分野】
【０００１】
本発明は、表示装置に関し、特に、液晶ディスプレイ装置や液晶テレビジョン受像機などの表示装置に関する。
【背景技術】
【０００２】
従来、液晶ディスプレイ装置や液晶テレビジョン受像機など表示装置が知られている（例えば、特許文献１参照）。このような表示装置では、表示装置の背面側に電源回路基板が配置される。電源回路基板は、背面から見えないように樹脂製のリアカバーで覆われる。
【０００３】
図１５は、従来の表示装置を背面側から見た分解斜視図である。表示装置１は、リアフレーム２と、電源回路基板３と、映像音声処理基板４と、リアカバー５と、スピーカホルダ６と、スピーカ７とを含む。電源回路基板３及び映像音声処理基板４は、リアフレーム２にビスなどで固定される。これら基板が固定された状態で、樹脂製のリアカバー５がリアフレーム２に取り付けられ、電源回路基板３及び映像音声処理基板４がリアカバー５により覆われる。また、リアフレーム２にはスピーカホルダ６が取り付けられ、スピーカホルダ６にはスピーカ７が取り付けられる。このような構成において、仮に電源回路基板３が発火した場合には、炎が樹脂製のリアカバー５に燃え移りやすい。このため、防火性の点で問題がある。
【０００４】
図１６は、図１５の表示装置１に比べ、防火性能を高めた従来の他の表示装置を背面側から見た要部の分解斜視図である。表示装置９は、リアフレーム２と、電源回路基板３と、リアカバー５と、スピーカ７と、パネル８とを含む。電源回路基板３は、リアフレーム２にビスなどで固定される。また、電源回路基板３の側方と後方は金属製のパネル８により覆われて固定される。この状態で、樹脂製のリアカバー５がリアフレーム２に取り付けられ、電源回路基板３がリアカバー５により覆われる。また、リアフレーム２には、スピーカ７が取り付けられる。電源回路基板３が金属製のパネル８により覆われているため、防火性能を高めることが可能である。
【先行技術文献】
【特許文献】
【０００５】
【特許文献１】特開２０１２−７８５４６号公報
【発明の概要】
【発明が解決しようとする課題】
【０００６】
しかしながら、図１６に示した表示装置９は、防火性能を向上させるために、電源回路基板３をパネル８で覆っている。このため、パネル８の分、表示装置９の厚み及び重量が大きくなるとともに、表示装置９のコスト高に繋がる。
【０００７】
本発明は、上述の課題を解決するためになされたものであり、防火性能に優れ、薄型、軽量で、低コストで製造可能な表示装置を提供することを目的とする。
【課題を解決するための手段】
【０００８】
上記目的を達成するために、本発明の一態様に係る表示装置は、表示セルと、前記表示セルを背面から支持する金属製の筐体と、前記筐体に取り付けられ、前記表示セルに向けて光を出射する光源と、前記表示セルと前記筐体との間に取り付けられ、前記光源から出射する光を前記表示セルに向けて反射する反射部材と、前記反射部材と前記筐体との間に配置される電源回路基板とを備える。
【０００９】
この構成によると、金属製の筐体の内部に電源回路基板を配置している。このため、仮に電源回路基板が発火したとしても、炎が筐体の外部に噴出し難い構造となっている。また、表示装置の背面から電源回路基板が見えないため、電源回路基板を覆うために用いていたリアカバーを省略することができる。さらに、電源回路基板を側面または背面から覆うパネルも省略することができる。このため、防火性能に優れ、薄型、軽量で、低コストで製造可能な表示装置を提供することができる。
【００１０】
例えば、上述の表示装置は、さらに、前記反射部材と前記筐体との間に配置される音声信号処理用の回路基板である音声処理基板を備えていても良い。
【００１１】
この構成によると、金属製の筐体の内部に音声処理基板を配置している。このため、表示装置の背面から音声処理基板が見えないため、音声処理基板を覆うために従来用いていたリアカバーを省略することができる。
【００１２】
また、上述の表示装置は、さらに、前記音声処理基板に結線され、前記反射部材と前記筐体との間に配置されるスピーカを備えていても良い。
【００１３】
この構成によると、音声処理基板及びスピーカをいずれも筐体の内部に配置することができる。このため、スピーカを配置するために用いていたスピーカホルダを省略することができる。よって、表示装置を薄型化、軽量化し、低コストで製造することができる。また、音声処理基板とスピーカとを結線し易くなる。
【００１４】
また、上述の表示装置は、さらに、前記反射部材と前記筐体との間に配置される映像信号処理用の回路基板である映像処理基板を備えていても良い。
【００１５】
この構成によると、金属製の筐体の内部に映像処理基板を配置している。このため、表示装置の背面から映像処理基板が見えないため、映像処理基板を覆うために用いていたリアカバーを省略することができる。
【００１６】
また、上述の表示装置は、さらに、前記映像処理基板及び前記表示セルにそれぞれ結線され、前記反射部材と前記筐体との間に配置される、前記映像処理基板から出力される映像信号を前記表示セルに中継する回路基板である中継基板を備えていても良い。
【００１７】
この構成によると、映像処理基板及び中継基板のいずれも筐体の内部に配置することができる。このため、映像処理基板と中継基板とを接続するケーブルを隠すために用いていたスピーカホルダを省略することができる。よって、表示装置を薄型化、軽量化し、低コストで製造することができる。また、映像処理装置と中継基板とを結線し易くなる。
【００１８】
また、前記筐体には、スタッドが配置され、前記電源回路基板は、締結部材により前記スタッドに締結されていても良い。
【００１９】
この構成によると、絞り加工などにより締結部材の受け部を形成する場合に比べ、表示装置の背面の意匠性を向上させることができる。
【００２０】
また、前記電源回路基板は、前記筐体の下部に取り付けられていても良い。
【００２１】
この構成によると、電源回路基板に接続される電源ケーブルを、表示装置の下部から引き出しやすくなる。
【発明の効果】
【００２２】
本発明によると、防火性能に優れ、薄型、軽量で、低コストで製造可能な表示装置を提供することができる。
【図面の簡単な説明】
【００２３】
【図１】実施の形態１に係る表示装置の外観図である。
【図２】表示装置を背面側から見た分解斜視図である。
【図３】図１のＡ−Ａ線断面図である。
【図４】映像音声処理基板に取り付けられる電子部品の配置位置について説明するための表示装置の部分断面図である。
【図５】実施の形態１に係る表示装置の厚みを説明するための表示装置の部分断面図である。
【図６】従来の表示装置の厚みを説明するための表示装置の部分断面図である。
【図７】リアフレームへの映像音声処理基板及び電源回路基板の取付け方法について説明するための図である。
【図８】電源回路基板の取付け部分におけるリアフレーム及び電源回路基板の部分拡大図である。
【図９】絞り加工によりビスの受け部を形成した例を示す図である。
【図１０】絞り加工によりビスの受け部を形成した例を示す図である。
【図１１】開口を表示装置の背面側から見た図である。
【図１２】スピーカホルダによるケーブルの遮蔽について説明するための図である。
【図１３】ケーブルカバーによるケーブルの遮蔽について説明するための図である。
【図１４】実施の形態２に係る表示装置の、図１のＡ−Ａ線断面図である。
【図１５】従来の表示装置を背面側から見た分解斜視図である。
【図１６】従来の他の表示装置を背面側から見た要部の分解斜視図である。
【発明を実施するための形態】
【００２４】
以下、本発明の実施の形態について、図面を用いて詳細に説明する。なお、以下で説明する実施の形態は、いずれも本発明の好ましい一具体例を示すものである。以下の実施の形態で示される数値、形状、材料、構成要素、構成要素の配置位置及び接続形態などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００２５】
（実施の形態１）
図１は、実施の形態１に係る表示装置の外観図である。表示装置１００は、液晶ディスプレイ装置又は液晶テレビジョン受像機などである。
【００２６】
図２は、表示装置１００を背面側から見た分解斜視図である。表示装置１００は、表示装置１００の前面側から順に、フロントキャビネット１０１と、ベゼル１０２と、クッション材１０３と、液晶セル１０４と、クッション材１０６と、セルガイド１０７と、光学シート１０８と、拡散板１０９と、反射シート１１０と、映像音声処理基板１１１及び電源回路基板１１２と、ＬＥＤバー１１３と、リアフレーム１１４と、スピーカホルダ１１５と、スピーカ１１６とを備える。
【００２７】
ＬＥＤバー１１３は、光源の一例であり、ｘ方向に並べられた複数のＬＥＤを含み、リアフレーム１１４に取り付けられ、液晶セル１０４に向けて光を出射する。
【００２８】
反射シート１１０は、反射部材の一例であり、液晶セル１０４とリアフレーム１１４との間に取り付けられ、ＬＥＤバー１１３から出射する光を液晶セル１０４に向けて反射する。
【００２９】
映像音声処理基板１１１は、映像信号及び音声信号の処理用の回路基板である。映像音声処理基板１１１は、反射シート１１０とリアフレーム１１４との間に位置し、ビスなどの締結部材によりリアフレーム１１４に取り付けられる。
【００３０】
電源回路基板１１２は、映像音声処理基板１１１及びＬＥＤバー１１３など、表示装置１００の各処理部に電力を供給するための回路基板である。電源回路基板１１２は、反射シート１１０とリアフレーム１１４との間に位置し、ビスなどの締結部材によりリアフレーム１１４に取り付けられる。
【００３１】
液晶セル１０４（表示セルを構成する）には、ＣＯＦ（Ｃｈｉｐ  Ｏｎ  Ｆｉｌｍ）を介して中継基板１０５が結線されている。中継基板１０５は、映像音声処理基板１１１に結線され、映像音声処理基板１１１から出力される映像信号を液晶セル１０４に中継するための回路基板である。
【００３２】
リアフレーム１１４（表示装置１００の筐体を構成する）は、金属製のフレームであり、表示装置１００の外観面の意匠を構成する。
【００３３】
リアフレーム１１４にはスピーカホルダ１１５が取り付けられ、スピーカホルダ１１５にはスピーカ１１６が取り付けられる。スピーカ１１６は、映像音声処理基板１１１と結線されている。
【００３４】
図３は、図１のＡ−Ａ線断面図である。
【００３５】
反射シート１１０は、ＬＥＤバー１１３の配置位置においてＬＥＤバー１１３の近傍、つまり、リアフレーム１１４の側に配置される。反射シート１１０は、その配置位置から、表示装置１００の上端部及び下端部に向けて傾斜するように折り曲げられている。このため、表示装置１００の上端部及び下端部において、反射シート１１０とリアフレーム１１４との間に隙間が生じる。映像音声処理基板１１１は、その隙間に配置され、ビス等によりリアフレーム１１４に取り付けられる。映像音声処理基板１１１には、例えば、表示装置１００の前面側にＩＣ（Ｉｎｔｅｇｒａｔｅｄ  Ｃｉｒｃｕｉｔ）又はトランジスタなどの電子部品１１１ａが配置される。なお、電源回路基板１１２も同様に、上記隙間に配置され、ビス等によりリアフレーム１１４に取り付けられる。
【００３６】
図４は、映像音声処理基板１１１に取り付けられる電子部品１１１ａの配置位置について説明するための表示装置１００の部分断面図（図１のＢ−Ｂ線断面図）である。反射シート１１０は、表示装置１００の下端部に向けて傾斜している。このため、映像音声処理基板１１１と反射シート１１０との間には、表示装置１００の下端部に向かうにつれ幅が大きくなる隙間部分１１１ｂが生じる。よって、反射シート１１０を表示装置１００の下端部に向けて傾斜するように折り曲げることで、表示装置１００の下端部ほど高さの高い電子部品１１１ａを配置することができる。なお、電源回路基板１１２についても同様に、表示装置１００の下端部ほど高さの高い電子部品を配置することができる。映像音声処理基板１１１又は電源回路基板１１２を表示装置１００の上端部に取り付ける場合には、表示装置１００の上端部ほど高さの高い電子部品を配置することができる。
【００３７】
再度図３を参照して、スピーカ１１６は、リアフレーム１１４の外部であって、かつスピーカホルダ１１５の内部に取り付けられる。また、中継基板１０５もリアフレーム１１４の外部であって、かつスピーカホルダ１１５の内部に取り付けられる。
【００３８】
図５は、実施の形態１に係る表示装置１００の厚みを説明するための表示装置１００の部分断面図（図１のＢ−Ｂ線断面図）であり、図６は、従来の表示装置１の厚みを説明するための表示装置１の部分断面図である。図５に示すように、表示装置１００の厚みは、表示装置１００の前面からリアフレーム１１４までの距離７３．５ｍｍに、スピーカホルダ１１５のはみ出し部分の長さ１０．４ｍｍを加えたものである。これに対し、図６に示すように、表示装置１の厚みは、表示装置１の前面からリアフレーム２までの距離７３．５ｍｍに、リアフレーム２からリアカバー５までの距離３２．０ｍｍを加えたものである。表示装置１００は、スピーカホルダ１１５のはみ出し部分があるものの、リアカバー５を用いていない。このため、表示装置１に比べて表示装置１００の厚みを小さくすることができる。
【００３９】
図７は、リアフレーム１１４への映像音声処理基板１１１及び電源回路基板１１２の取付け方法について説明するための図である。図８は、電源回路基板１１２の取付け部分におけるリアフレーム１１４及び電源回路基板１１２の部分拡大図である。
【００４０】
リアフレーム１１４には、その内側の面に複数の金属製のスタッド１１７がかしめられることで取り付けられている。なお、各スタッド１１７は、溶接によりリアフレーム１１４に取り付けられていても良い。
【００４１】
電源回路基板１１２は、スタッド１１７上に配置される。電源回路基板１１２に設けられた開口１１２ａを通じて、ビス１１８をスタッド１１７に締結することにより、電源回路基板１１２がリアフレーム１１４に固定される。なお、ビス１１８は、おねじでありスタッド１１７は、めねじである。
【００４２】
スタッド１１７の代わりに絞り加工によりビス１１８の受け部１１９を形成することも可能である。図９及び図１０は、絞り加工によりビス１１８の受け部１１９を形成した例を示す図である。絞り加工により形成された受け部１１９は、図１０に示すように、表示装置１００の背面側に窪みとして現れる。スタッド１１７をリアフレーム１１４に取り付けた場合には、このような窪みは生じない。このため、表示装置１００の外観面の意匠の点からは、スタッド１１７によりビス１１８の受け部１１９を形成する方が望ましい。つまり、スタッド１１７を用いることにより、表示装置１００の背面の意匠性を向上させることができる。
【００４３】
図７に示すように、リアフレーム１１４には、開口１２１及び開口１２２が設けられている。開口１２１は、映像音声処理基板１１１と中継基板１０５とを接続するケーブルを、リアフレーム１１４の内部から外部に引き出すための孔である。開口１２２は、電源回路基板１１２に接続される電源ケーブルを、リアフレーム１１４の内部から外部に引き出すための孔である。図１１は、開口１２１及び開口１２２を表示装置１００の背面側から見た図である。リアフレーム１１４は、表示装置１００の外観面の意匠を構成する。このため、開口１２１から引き出されるケーブルを、表示装置１００の背面から見えないように隠す必要がある。図１２に示すように、リアフレーム１１４に取り付けられるスピーカホルダ１１５がこの役割を果たす。つまり、映像音声処理基板１１１と中継基板１０５とをケーブルにより接続した後、スピーカホルダ１１５がリアフレーム１１４に取り付けられる。なお、スピーカホルダ１１５には、開口１２２から引き出される電源ケーブルを外部に引き出すための開口１１５ａが設けられている。
【００４４】
スピーカホルダ１１５でケーブルを隠すのではなく、図１３に示すようにケーブルカバー１２３でケーブルを隠すようにしても良い。ケーブルカバー１２３は、スピーカホルダ１１５と同様にリアフレーム１１４に取り付けられる。ケーブルカバー１２３には、開口１２２から引き出される電源ケーブルを外部に引き出すための開口１２３ａが設けられている。
【００４５】
以上説明したように、実施の形態１によると、金属製のリアフレーム１１４の内部に電源回路基板１１２を配置している。このため、仮に電源回路基板１１２が発火したとしても、炎がリアフレーム１１４の外部に噴出し難い構造となっている。また、表示装置１００の背面から電源回路基板１１２が見えないため、電源回路基板１１２を覆うために用いていたリアカバーを省略することができる。さらに、電源回路基板１１２を側面または背面から覆うパネルも省略することができる。このため、防火性能に優れ、薄型、軽量で、低コストで製造可能な表示装置１００を提供することができる。
【００４６】
また、金属製のリアフレーム１１４の内部に映像音声処理基板１１１を配置している。このため、表示装置１００の背面から映像音声処理基板１１１が見えないため、映像音声処理基板１１１を覆うために用いていたリアカバーを省略することができる。
【００４７】
また、電源回路基板１１２は、リアフレーム１１４の下部に取り付けられている。このため、電源回路基板１１２に接続される電源ケーブルを、表示装置１００の下部から引き出しやすくなる。
【００４８】
（実施の形態２）
実施の形態１では、中継基板１０５及びスピーカ１１６をリアフレーム１１４の外部に配置し、中継基板１０５及びスピーカ１１６をスピーカホルダ１１５で覆う構成とした。実施の形態２では、中継基板１０５及びスピーカ１１６をリアフレーム１１４の内部に配置し、スピーカホルダ１１５を省略した構成とする。それ以外の部分は、実施の形態１と同様であるため、その詳細な説明はここでは繰り返さない。
【００４９】
図１４は、図１のＡ−Ａ線断面図である。
【００５０】
実施の形態２に係る表示装置１００では、リアフレーム１１４が表示装置１００の下部まで覆うような形状を有する。中継基板１０５及びスピーカ１１６は、反射シート１１０とリアフレーム１１４との間の隙間に取り付けられる。中継基板１０５及びスピーカ１１６は、例えば、ビスなどの締結部材によりリアフレーム１１４に取り付けられていても良い。
【００５１】
なお、リアフレーム１１４には、スピーカ１１６の音の出口付近にスリットが設けられていても良い。これにより、スピーカ１１６から出力される音が、外部に伝わり易くすることができる。
【００５２】
実施の形態２によると、映像音声処理基板１１１及びスピーカ１１６をいずれもリアフレーム１１４の内部に配置することができる。このため、スピーカ１１６を配置するために用いていたスピーカホルダ１１５を省略することができる。よって、表示装置１００を薄型化、軽量化し、低コストで製造することができる。また、映像音声処理基板１１１とスピーカ１１６とを結線し易くなる。
【００５３】
さらに、中継基板１０５をリアフレーム１１４の内部に配置することができる。このため、映像音声処理基板１１１と中継基板１０５とを接続するケーブルを隠すために用いていたスピーカホルダ１１５を省略することができる。よって、表示装置１００を薄型化、軽量化し、低コストで製造することができる。また、映像音声処理基板１１１と中継基板１０５とを結線し易くなる。
【００５４】
以上、本発明の実施の形態に係る表示装置について説明したが、本発明は、この実施の形態に限定されるものではない。
【００５５】
例えば、上述の実施の形態では、表示装置の一例として、液晶ディスプレイ装置又は液晶テレビジョン受像機を挙げたが、表示装置はこれらに限定されるものではない。例えば、表示装置は、有機ＥＬ（Ｅｌｅｃｔｒｏ  Ｌｕｍｉｎｅｓｃｅｎｃｅ）ディスプレイ装置であっても良いし、有機ＥＬテレビジョン受像機であっても良い。
【００５６】
また、映像音声処理基板１１１は、中継基板１０５及びスピーカ１１６のみならず、ユーザが操作するスイッチを有するスイッチ基板に接続されていても良い。この場合、スイッチ基板は、リアフレーム１１４とスピーカホルダ１１５との間に配置されても良いし、リアフレーム１１４の内部に配置されても良い。
【産業上の利用可能性】
【００５７】
本発明は再生装置として、例えば、液晶ディスプレイ装置や液晶テレビジョン受像機などに適用できる。
【符号の説明】
【００５８】
１、９、１００  表示装置
２、１１４  リアフレーム
３  電源回路基板
４  映像音声処理基板
５  リアカバー
６、１１５  スピーカホルダ
７、１１６  スピーカ
８  パネル
１０１  フロントキャビネット
１０２  ベゼル
１０３、１０６  クッション材
１０４  液晶セル
１０５  中継基板
１０７  セルガイド
１０８  光学シート
１０９  拡散板
１１０  反射シート
１１１  映像音声処理基板
１１１ａ  電子部品
１１１ｂ  隙間部分
１１２  電源回路基板
１１２ａ、１１５ａ、１２１、１２２、１２３ａ  開口
１１３  ＬＥＤバー
１１７  スタッド
１１８  ビス
１１９  受け部
１２３  ケーブルカバー
【図１】
2014206644.tif 000003
【図２】
2014206644.tif 000004
【図３】
2014206644.tif 000005
【図４】
2014206644.tif 000006
【図５】
2014206644.tif 000007
【図６】
2014206644.tif 000008
【図７】
2014206644.tif 000009
【図８】
2014206644.tif 000010
【図９】
2014206644.tif 000011
【図１０】
2014206644.tif 000012
【図１１】
2014206644.tif 000013
【図１２】
2014206644.tif 000014
【図１３】
2014206644.tif 000015
【図１４】
2014206644.tif 000016
【図１５】
2014206644.tif 000017
【図１６】
2014206644.tif 000018